(57)【要約】【課題】車両の内部に加飾部品を取付ける構造を提供すること。【解決手段】加飾部品は、取付構造を介して車両１の内装部材７０に取付けられている。【選択図】図１
2012240497.tif 000002
【特許請求の範囲】
【請求項１】
所定の加飾を施された加飾部品と、
当該加飾部品が車両の内装部材へ取外し可能な取付構造を介して取付けられることを特徴とする加飾部品の取付構造。
【発明の詳細な説明】
【技術分野】
【０００１】
本発明は、加飾部品の取付構造に関し、詳しくは、車両の内部に加飾部品を取付、配置する構造に関する。
【背景技術】
【０００２】
近年、室内の美観を向上、つまり室内を加飾する目的のために加飾機能を備えた加飾部品を、例えば自動車内におけるインストルメントパネル、アッパーコンソール、ドアトリムもしくはセンタークラスタなどへ取付けられている。加飾部品への加飾方法としては、例えば木目模様を呈するために用いられる本物の木板、および木目模様が印刷されたフィルムなどが存在している。例えば特許文献１においては、本物の木板を複数のＬＥＤ（ｌｉｇｈｔ−ｅｍｉｔｔｉｎｇ  ｄｉｏｄｅ）によって側方から照らし、この光を導光体を介して木板を通過させることにより、木板の木目模様に基づく装飾効果を高めると共に、外部照明が無い状態、例えば夜間においても加飾効果を得ることのできる加飾装置が開示されている。
【先行技術文献】
【特許文献】
【０００３】
【特許文献１】特開２００２−２０５５００号公報
【発明の概要】
【発明が解決しようとする課題】
【０００４】
しかしながら、上述した従来技術では、加飾部品が車両内部に取付けた後、取外しができないため、使用者の好みや気分によって加飾部品を交換したいという要望には答えることができなかった。そこで加飾部品が車両の内部へ取外し可能に取付けられる構造が求められていた。
【０００５】
本発明は、このような課題を解決しようとするもので、その目的は、車両の内部に加飾部品を取外し可能な取付構造を提供することである。
【課題を解決するための手段】
【０００６】
本発明は、上記の目的を達成するためのものであって、以下のように構成されている。
請求項１に記載の発明は、所定の加飾を施された加飾部品と、当該加飾部品が車両の内装部材へ取外し可能な取付構造を介して取付けられることを特徴とする構成である。
この構成によれば、取外し可能な取付構造を介して車両の内装部材に加飾部品を配置できる。
【図面の簡単な説明】
【０００７】
【図１】図１は、本発明の実施例１に係る加飾部品の取付構造の図である。
【図２】図２は、本発明の実施例２に係る加飾部品の取付構造の図である。
【図３】図３は、本発明の実施例３に係る加飾部品の取付構造の図である。
【図４】図４は、本発明の実施例４に係る加飾部品の取付構造の図である。
【図５】図５は、本発明の実施例５に係る加飾部品の取付構造の図である。
【図６】図６は、本発明の実施例６に係る加飾部品の取付構造の図である。
【図７】図７は、本発明の実施例７に係る加飾部品の取付構造の図である。
【図８】図８は、本発明の実施例８に係る加飾部品の取付構造の図である。
【図９】図９は、本発明の実施例９に係る加飾部品の取付構造の図である。
【図１０】図１０は、本発明の実施例１０に係る加飾部品の取付構造の図である。
【図１１】図１１は、本発明の実施例１１に係る加飾部品の取付構造の図である。
【図１２】図１２は、本発明の実施例１２に係る加飾部品の取付構造の図である。
【図１３】図１３は、本発明の実施例１３に係る加飾部品の取付構造の図である。
【図１４】図１４は、本発明の実施例１４に係る加飾部品の取付構造の図である。
【図１５】図１５は、本発明の実施例１５に係る加飾部品の取付構造の図である。
【図１６】図１６は、本発明の実施例１６に係る加飾部品の取付構造の図である。
【図１７】図１７は、本発明の実施例１７に係る加飾部品の取付構造の図である。
【図１８】図１８は、本発明の実施例１８に係る加飾部品の取付構造の図である。
【図１９】図１９は、本発明の実施例１９に係る加飾部品の取付構造の図である。
【図２０】図２０は、本発明の実施例２０に係る加飾部品の取付構造の図である。
【図２１】図２１は、本発明の実施例２１に係る加飾部品の取付構造の図である。
【図２２】図２２は、本発明の実施例２２に係る加飾部品の取付構造の図である。
【図２３】図２３は、本発明の実施例２３に係る加飾部品の取付構造の図である。
【図２４】図２４は、本発明の実施例２４に係る加飾部品の取付構造の図である。
【図２５】図２５は、本発明の実施例２５に係る加飾部品の取付構造の図である。
【図２６】図２６は、本発明の実施例２６に係る加飾部品の取付構造の図である。
【図２７】図２７は、本発明の実施例２７に係る加飾部品の取付構造の図である。
【図２８】図２８は、本発明の実施例２８に係る加飾部品の取付構造の図である。
【図２９】図２９は、本発明の実施例２９に係る加飾部品の取付構造の図である。
【図３０】図３０は、本発明の実施例３０に係る加飾部品の取付構造の図である。
【図３１】図３１は、本発明の実施例３１に係る加飾部品の取付構造の図である。
【図３２】図３２は、本発明の実施例３２に係る加飾部品の取付構造の図である。
【図３３】図３３は、本発明の実施例３３に係る加飾部品の取付構造の図である。
【図３４】図３４は、本発明の実施例３４に係る加飾部品の取付構造の図である。
【図３５】図３５は、本発明の実施例３５に係る加飾部品の取付構造の図である。
【図３６】図３６は、本発明の実施例３６に係る加飾部品の取付構造の図である。
【図３７】図３７は、本発明の実施例３７に係る加飾部品の取付構造の図である。
【図３８】図３８は、本発明の実施例３８に係る加飾部品の取付構造の図である。
【図３９】図３９は、本発明の実施例３９に係る加飾部品の取付構造の図である。
【図４０】図４０は、本発明の実施例４０に係る加飾部品の取付構造の図である。
【図４１】図４１は、本発明の実施例４１に係る加飾部品の取付構造の図である。
【図４２】図４２は、本発明の実施例４２に係る加飾部品の取付構造の図である。
【図４３】図４３は、本発明の実施例４３に係る加飾部品の取付構造の図である。
【図４４】図４４は、本発明の実施例４４に係る加飾部品の取付構造の図である。
【図４５】図４５は、本発明の実施例４５に係る加飾部品の取付構造の図である。
【図４６】図４６は、本発明の実施例４６に係る加飾部品の取付構造の図である。
【図４７】図４７は、本発明の実施例４７に係る加飾部品の取付構造の図である。
【図４８】図４８は、本発明の実施例４８に係る加飾部品の取付構造の図である。
【図４９】図４９は、本発明の実施例４９に係る加飾部品の取付構造の図である。
【図５０】図５０は、本発明の実施例５０に係る加飾部品の取付構造の図である。
【図５１】図５１は、本発明の実施例５１に係る加飾部品の取付構造の図である。
【図５２】図５２は、本発明の実施例５２に係る加飾部品の取付構造の図である。
【図５３】図５３は、本発明の実施例５３に係る加飾部品の取付構造の図である。
【図５４】図５４は、本発明の実施例５４に係る加飾部品の取付構造の図である。
【図５５】図５５は、本発明の実施例５５に係る加飾部品の取付構造の図である。
【図５６】図５６は、本発明の実施例５６に係る加飾部品の取付構造の図である。
【図５７】図５７は、本発明の実施例５７に係る加飾部品の取付構造の図である。
【図５８】図５８は、本発明の実施例５８に係る加飾部品の取付構造の図である。
【図５９】図５９は、本発明の実施例５９に係る加飾部品の取付構造の図である。
【図６０】図６０は、本発明の実施例６０に係る加飾部品の取付構造の図である。
【図６１】図６１は、本発明の実施例６１に係る加飾部品の取付構造の図である。
【図６２】図６２は、本発明の実施例６２に係る加飾部品の取付構造の図である。
【図６３】図６３は、本発明の実施例６３に係る加飾部品の取付構造の図である。
【図６４】図６４は、本発明の実施例６４に係る加飾部品の取付構造の図である。
【図６５】図６５は、本発明の実施例６５に係る加飾部品の取付構造の図である。
【図６６】図６６は、本発明の実施例６６に係る加飾部品の取付構造の図である。
【図６７】図６７は、本発明の実施例６７に係る加飾部品の取付構造の図である。
【図６８】図６８は、本発明の実施例６８に係る加飾部品の取付構造の図である。
【図６９】図６９は、本発明の実施例６９に係る加飾部品の取付構造の図である。
【図７０】図７０は、本発明の実施例７０に係る加飾部品の取付構造の図である。
【図７１】図７１は、本発明の実施例７１に係る加飾部品の取付構造の図である。
【図７２】図７２は、本発明の実施例７２に係る加飾部品の取付構造の図である。
【図７３】図７３は、本発明の実施例７３に係る加飾部品の取付構造の図である。
【図７４】図７４は、車室内の図である。
【発明を実施するための形態】
【０００８】
以下、本発明を実施するための形態を、図面を用いて説明する。
（実施例１）
まず、図１を参照して、本発明を適用する車室内を説明する。以下の説明にあたって、上、下、前、後、左、右とは、上述した図に記載した、上、下、前、後、左、右の方向、すなわち、車両１を基準にしたときの上、下、前、後、左、右の方向を示している。このことは、後述する全ての実施例においても同様である。
【０００９】
なお、この実施例１では、取付構造は『車両の内装部材』に設置され、加飾部品を固定する。『車両内装部材』としては、図７４に示すようにインストルメントパネル７０があげられる。ただし、当該場所に限らず、『車両内装材』として『オーバーヘッドモジュール、サンバイザー、インストルメントパネル、グラブボックス、センタークラスタ、コンソールボックス、ボックス本体、リッド、ドア、ドアトリム、取っ手、ドアポケット、ハンドル、コンソールアッパー』などがあり、上記の場所全体もしくは一部に適宜設置されてもよい。このことは、後述する全ての実施例においても同様である。したがって、以下に説明する全ての実施例における取付構造は、指定が無ければインストルメントパネルの場所へ設置すると仮定して説明を行うが、当該場所に限らず上記『車両の内装部材』の場所に適宜設置されている。また『車両内装部材』そのものを加飾し、加飾部材として本発明の取付構造にて車両の内装に取付けてもよい。また加飾部品は、以下の実施例では加飾シート、加飾パネル、加飾部材、加飾品などに適宜名称が変更されている。
【００１０】
図１に示すように、車両１のインストルメントパネル７０に加飾部品を取付けるための爪が加飾部品へ一体的に設けられている。この構成によれば、加飾部品は取付構造を介して内装部材へ取付けることができる。また取外しが可能となっており、例えば前述の加飾部品の加飾とは柄、色、模様、触感などが異なる加飾部品を用意し、内装部材から取外して交換することが可能となる。以下に説明する全ての実施例における取付構造で、指定場所の無いものは全て７０の場所に取付けられると仮定する。
【００１１】
次に、図２に示すように、ドアアウターをツメ構造で取り替えできるようにし、人気キャラクターやイラストがデザインされたシートを挟み込むことができる、アウターをオプションとしてもよい。
【００１２】
次に、図３に示すように、車両内装部材（基材）に溝を付け、加飾部品（着替えパネル）を上から爪ではめる。
【００１３】
次に、図４に示すように、ボール形状のはめこみの取付構造としてもよい。
【００１４】
次に、図５に示すように、突起形状にはめこみの取付構造としてもよい。
【００１５】
次に、図６に示すように、車両内装部材（インパネ）に爪をつけておき、ルーバーカバーの様な仕組みでもよい。
【００１６】
次に、図７に示すように、図の１を押すと爪が引っ込む。このような爪を取付構造に採用してもよい。
【００１７】
次に、図８に示すように、クラスタ四隅に爪を引く事で加飾されたクラスターを取り外してもよい。
【００１８】
次に、図９に示すように、ゴムのついた円筒の穴をインパネにつくり、加飾部品（パネル）の方にピンを設けて差し込んでもよい。
【００１９】
次に、図１０に示すように、加飾部品の下側を爪で引っかけて、上側を凸形状と凹形状で弱干渉にて内装部材側へはめ込む。加飾部品側に、オーバーストローク防止リブを設定してもよい。
【００２０】
次に、図１１に示すように、加飾部品を内装部材へ意匠面からビス締めで止める、加飾部品（パネル）を本杢柄の物やアルミ調のパネルを変更しやすくする。
【００２１】
次に、図１２に示すように、意匠性のあるピアスボルトをあえて見せて、しかも、そのボルトで加飾部品を内装部材へ固定させる。各部の意匠にアルミパネル、スパッタ、本杢、フィルムインモールド、色、シボ違いの加飾部品（樹脂パネル）を準備しておき、ピアスボルドで固定する。また面ファスナーで加飾部品を固定してもよい。ピアスボルトがなく、意匠がすっきりする。面ファスナーをダイレクト成形としてもよい。ただ面ファスナーの厚み分を、意匠する事が難しい。
【００２２】
次に、図１３に示すように、加飾プレートにビスなど金属部分を設定し、相手物に磁石を設定し着せ替えの提案をする。意匠平面の場合、裏面を２面使用出来る。加飾プレート内部に金属をはさみ込む。
【００２３】
次に、図１４に示すように、携帯電話の着せ替えパネルのようにパネルを意匠例からビスで固定する。六角レンチでだれでもつけ替えることができる。
【００２４】
次に、図１５に示すように、ゴム系の弾力のあるブッシュに差し込む。だれでも簡単にとれるが、意匠に手をかける段差が必要。
【００２５】
次に、図１６に示すように、２枚のパネルを作り、好みで写真やカラーシート等をはさむ事で、自分の好きなように加飾をカスタマイズできる。
【００２６】
次に、図１７に示すように、加飾部材（パネル）を内装部材へビスで固定する。バリエーションが豊富で、交換が可能。裏面にビズがあるハードなデザインとなる。
【００２７】
次に、図１８に示すように、磁石で脱着が可能にする。差し込みを設定してもよい。
【００２８】
次に、図１９に示すように、超強力マグネットで脱着してもよい。微電流を流すと外せる。
【００２９】
次に、図２０に示すように、加飾部材の表・裏で異なる色、シボ、質感のあるものの端に、マグネットが設定してあり、インパネに設定してある金属とくっつき、固定される。
【００３０】
次に、図２１に示すように、加飾部材（加飾プレート）を入れ替えることで、内装部材の色替えを行う。
【００３１】
次に、図２２に示すように、加飾部材（加飾プレート）の裏面に、マグネットを付けて取り替える。
【００３２】
次に、図２３に示すように、磁石と加飾部材（フィルム）を一体化する。フィルムをつけかえるだけで柄を交換できる。
【００３３】
次に、図２４に示すように、加飾部材（木製の表皮）をインパネへ取付けて、木の感覚をもったインパネ（擬似木製インパネ)、家具の様なインパネとしてもよい。木の香りと手触りにつつまれて、コーナーが安らぎを覚える様なインパネとなる。部屋の中にいる様な感覚をだす。
【００３４】
次に、図２５にしめすように、加飾部材を電磁石で内装部材へ取付けることで、容易に着せ替えが可能になり、ユーザー独自でマグネットシールなどのオリジナルデコレーションが出来る様になる。
【００３５】
次に、図２６に示すように、加飾部材を電磁石にてくっつける、スイッチON・OFFで磁力の発生を切替え、外しやすくする。
【００３６】
次に、図２７に示すように、加飾部品の凸凹部に磁石を取付けて、簡単に取り替え出来る。
【００３７】
次に、図２８に示すように、アクリルの板で本杢シートをはさみ込んで、加飾部品を固定する。上記のネジ固定を、マグネットにする。加飾部品（樹脂基材）に、磁力の入った成分を混ぜ、内装部品(鉄板)とを磁力で締結してもよい。
【００３８】
次に、図２９に示すように、ミニコンポ等のスピーカーに使われているような、ゴム(エラストマー)の穴を内装部材へ設けて、加飾部品に設けた樹脂ピンを差し込むことで、組付ける。脱着荷重と建付が問題となりそう。
【００３９】
次に、図３０に示すように、エラストマー部を加飾部品側へダイレクト成形し、干渉設計を可能にする。インパネ側は、抜け防止、山形状を追加し、嵌合力を調整出来る様にする。
【００４０】
次に、図３１に示すように、部品取付け爪部に、スライドを使用。パネルのウラ側に手を回せる様にしておき、スライドを開閉できるようにする。ゲージで部品の脱着用に使っているスライド機構のような物をつけて、繰り返し、簡単に製品の取り外しが出来るようにする。
【００４１】
次に、図３２に示すように、Ｐ席側のインパネの前に左右にスライドする蓋を設けて、通常は蓋を開けた状態で普通のインパネになっており、スライドさせると、水転等に意匠が変わり、携帯などが置ける場所も出てくる様な構造としてもよい。
【００４２】
次に、図３３に示すように、携帯電話の液晶保護シールのように、シールのように貼る。液晶に貼るシールのようにキズ回復や、貼り直しできるようにする。シールの柄に水転などを使用する。
【００４３】
次に、図３４に示すように、裏面にシールのついた加飾シートをインパネに貼付ける。シールの素材は、段度も脱着できるものとする。
【００４４】
次に、図３５に示すように、意匠面をはがせるドアグラブ(内装部品)。内装の色、柄を変えられる。汚れたら、表面をはがすので、そうじがいらない。
【００４５】
次に、図３６に示すように、意匠面をはがせるドアグラブ(内装部品)。内装の色、柄を変えられる。
【００４６】
次に、図３７に示すように、意匠面をはがせるドアグラブ(内装部品)。
【００４７】
次に、図３８に示すように、脱着可能で食べられるコンソールドアとしてもよい。
【００４８】
次に、図３９に示すように、吸盤を付けて、それで固定する。
【００４９】
次に、図４０に示すように、最近のスマートフォンのケースの様に、端末のツメかけを設けてもよい。ツメの中で固定する。
【００５０】
次に、図４１に示すように、インパネの四方にパズルの柄に使用されている様な取めピンをつける。どんなインパネにも対応できる。
【００５１】
次に、図４２に示すように、面ファスナーで取付が簡単に取り替えが出来る。クリップで取付を簡単に取り替えが出来る。
【００５２】
次に、図４３に示すように、面ファスナーで脱着を可能にする。(差し込みを設定)。製品を、一枚板にする事により、相手物と密着してブカツキ感の不安も無くなる。
【００５３】
次に、図４４に示すように、本杢や金属用の意匠を面ファスナーで貼り付ける。
【００５４】
次に、図４５に示すように、面ファスナーで様々な素材のカバーを、その時の気分で変えられる様にする。テーブルクロスを変える様な、エプロンをかける様な感覚で楽しむ。手軽に変えられる。従来の樹脂インパネの表面をファブリック（コットン・リネン・布キャンパス地等）の従来にない素材感を楽しんでもらう着せ替え。好きな素材、好きな柄が無限大に選べる。 主婦、若い女性にもっと楽しんでもらえる様な、ファッション感覚を持ったインパネ、小さな子供が汚しても、すぐに洗ったり、とりかえられる様なインパネカバー。同内容で、ボタン（スナップ）式の構造とする。
【００５５】
次に、図４６に示すように、面ファスナーで取り付ける。簡単に着せ替える事が可能。
【００５６】
次に、図４７に示すように、加飾パネルを面ファスナーを介して、内装部材に取付けてもよい。
【００５７】
次に、図４８に示すように、加飾パネルをパネルストッパーとネジを用いて内装部材に取付けてもよい。
【００５８】
次に、図４９に示すように、横から加飾フィルムを入れる方法。大きいファイルの背表紙に題名を書いた紙を入れるように、オーナメントに横から加飾フィルムを入れる構造にする。
【００５９】
次に、図５０に示すように、上下を押すと、へこみ取付け、取り外しできる。
【００６０】
次に、図５１に示すように、両サイドの溝が勘合し、スライドする。
【００６１】
次に、図５２に示すように、両端に凹部が有り、レール等通し上下方向に移動することにより取り変えが出来る。製品の裏面の下部もしくは相手物に、ロック部を取り付ける。
【００６２】
次に、図５３に示すように、服のボタンのように取り付ける。
【００６３】
次に、図５４に示すように、お面の様に、製品にゴムを付けておき、インパネ側に引っ掛ける部位を設定しておく。ゴムを引っ掛けて、固定する。
【００６４】
次に、図５５に示すように、着せ替えでコンソールの端末部を鉄製のひっかけ爪にして、ゴムとの鋲の爪を一体にして、ひっぱるとのびる様にし、とりかえが自由にする。
【００６５】
次に、図５６に示すように、パネルごと交換するのではなく、表皮だけを交換出来る様にファスナーを使用する。
【００６６】
次に、図５７に示すように、本杢が金属調の意匠を両面テープで取り付ける。
【００６７】
次に、図５８に示すように、加飾パネルの着せ換えパネルを作って、両面テープにて固定する。
【００６８】
次に、図５９に示すように、デコケータイみたいに作ったシートを貼る。貼がす時は、シールはがしでコツコツ頑張る。自在にデザインできるシートを直接貼ってしまう。
【００６９】
図６０に示すように、女性向けの仕様としてナビクラスターのナビ周辺にラインストーンを付ける。数パターン用意しておく。
【００７０】
次に、図６１に示すように、着せ替えパーツをペタッとつけて、ペラッとはがせるイメージ。
【００７１】
次に、図６２に示すように、着せ替えカバーを、後付けできるようにする。
【００７２】
次に、図６３に示すように、若い女性が携帯をデコレーションする様に、車も行っている。現状多くが曲面の為、デコレーションの貼り付けがやりにくい。デコレーション用の平面で出来たカバーを付け、その上にデコレーションする専用のカバー。
【００７３】
次に、図６４に示すように、特殊(赤外線)な光を当てることで、粘度が下がる両面テープで固定する。取り外しの際は、専用ライトを当てて取り外す。
【００７４】
次に、図６5に示すように、インパネにウレタン、布、フィルムの意匠マットを貼り付ける。マットのみなので、簡単に取り付けができる。
【００７５】
次に、図６６に示すように、両端のラウンジを相手物に引っかけて止める。図６７に示すように、相手物との固定方法をピンに変え、着脱を行える様にする。
【００７６】
次に、図６８に示すように、インパネを簡単に脱着させてもよい。
【００７７】
次に、図６９に示すように、リーンフォース側にベースプレート、インパネ側にロック機構を設定。両サイドの着脱ボタンによりインパネ側ロック機構爪が、上下可動する。リーンフォース側にベースプレートを設定し、脱着を容易にすることが可能。ウォッシュレットと違い、インパネは大きい為、着脱ボタンRとLを同時に操作は不可能である。よって、着脱ボタンRとLは、各自独立機構とする。着脱ボタンとロック機構は、電子的に可動させるものとする。
【００７８】
次に、図７０に示すように、電気配線で使う熱収縮チューブみたいなイメージで、上から被せてドライヤーであぶるとピッタリフィットする。はがす時は、被せ物をカッターナイフで切ってもよい。
【００７９】
次に、図７１に示すように、穴にゴムブッシュ、テーパー形状による嵌め合いとしてもよい。
【００８０】
次に、図７２に示すように、穴にプラモ等で使うポリキャップみたいなもので嵌め合いとしてもよい。
【００８１】
次に、図７３に示すように、パネルにユーザーが自由に表皮を巻く。フレームをパネルにかぶせ、インパネへ取付け。
【符号の説明】
【００８２】
１        車両
７０      インストルメントパネル（内装部材）
【図１】
2012240497.tif 000003
【図２】
2012240497.tif 000004
【図３】
2012240497.tif 000005
【図４】
2012240497.tif 000006
【図５】
2012240497.tif 000007
【図６】
2012240497.tif 000008
【図７】
2012240497.tif 000009
【図８】
2012240497.tif 000010
【図９】
2012240497.tif 000011
【図１０】
2012240497.tif 000012
【図１１】
2012240497.tif 000013
【図１２】
2012240497.tif 000014
【図１３】
2012240497.tif 000015
【図１４】
2012240497.tif 000016
【図１５】
2012240497.tif 000017
【図１６】
2012240497.tif 000018
【図１７】
2012240497.tif 000019
【図１８】
2012240497.tif 000020
【図１９】
2012240497.tif 000021
【図２０】
2012240497.tif 000022
【図２１】
2012240497.tif 000023
【図２２】
2012240497.tif 000024
【図２３】
2012240497.tif 000025
【図２４】
2012240497.tif 000026
【図２５】
2012240497.tif 000027
【図２６】
2012240497.tif 000028
【図２７】
2012240497.tif 000029
【図２８】
2012240497.tif 000030
【図２９】
2012240497.tif 000031
【図３０】
2012240497.tif 000032
【図３１】
2012240497.tif 000033
【図３２】
2012240497.tif 000034
【図３３】
2012240497.tif 000035
【図３４】
2012240497.tif 000036
【図３５】
2012240497.tif 000037
【図３６】
2012240497.tif 000038
【図３７】
2012240497.tif 000039
【図３８】
2012240497.tif 000040
【図３９】
2012240497.tif 000041
【図４０】
2012240497.tif 000042
【図４１】
2012240497.tif 000043
【図４２】
2012240497.tif 000044
【図４３】
2012240497.tif 000045
【図４４】
2012240497.tif 000046
【図４５】
2012240497.tif 000047
【図４６】
2012240497.tif 000048
【図４７】
2012240497.tif 000049
【図４８】
2012240497.tif 000050
【図４９】
2012240497.tif 000051
【図５０】
2012240497.tif 000052
【図５１】
2012240497.tif 000053
【図５２】
2012240497.tif 000054
【図５３】
2012240497.tif 000055
【図５４】
2012240497.tif 000056
【図５５】
2012240497.tif 000057
【図５６】
2012240497.tif 000058
【図５７】
2012240497.tif 000059
【図５８】
2012240497.tif 000060
【図５９】
2012240497.tif 000061
【図６０】
2012240497.tif 000062
【図６１】
2012240497.tif 000063
【図６２】
2012240497.tif 000064
【図６３】
2012240497.tif 000065
【図６４】
2012240497.tif 000066
【図６５】
2012240497.tif 000067
【図６６】
2012240497.tif 000068
【図６７】
2012240497.tif 000069
【図６８】
2012240497.tif 000070
【図６９】
2012240497.tif 000071
【図７０】
2012240497.tif 000072
【図７１】
2012240497.tif 000073
【図７２】
2012240497.tif 000074
【図７３】
2012240497.tif 000075
【図７４】
2012240497.tif 000076